(57)【要約】【課題】    認知症などによる徘徊者が、家人や介護者の知らない間に外出しない様に、確実に玄関先で気付くことができる報知システム、しかも該当者以外の者が、そのシステムを日常生活内で気にせずに済む様な徘徊防止システム。【解決手段】    徘徊者が履いている靴やサンダルに取付けができるように考案されたスイッチ（圧縮導電ゴムスイッチ）付無線送信機を考案し、履物の底に穴を開け、取付けた。そのサンダルを履いて歩き出すとスイッチが作動し、無線信号が徘徊報知器へ送信され、音やランプで家人や介護士等へ報知するシステム。【選択図】図１
0003125563.tif 000002
【実用新案登録請求の範囲】
【請求項１】
履物に取り付けるスイッチ付無線送信機
【請求項２】
圧縮導電ゴムをスイッチとしたスイッチ付無線送信機
【請求項３】
履物を履き、歩くことで無線送信機のスイッチが入り、受信機が無線送信機の付いた履物が動き出したことを第三者に知らせるシステム。
【考案の詳細な説明】
【技術分野】
【０００１】  高齢化社会への移行に伴い、認知症などによる徘徊高齢者が急増している。自宅や施設に徘徊症状を呈する患者をかかえていると、知らない間に外出されてしまうと、事故に遭うことや、帰れなくなって遭難することなどを常に心配しなくてはならないし、警察や周囲の応援をもらい捜索する必要も生じることもある。その様なことが起きないように玄関等で、外出しようとしていることを確実に察知できる徘徊防止システムが必要である。
【背景技術】
【０００２】  従来は、徘徊検知センサーとしては、本人に無線送信器を持たせて、自宅や施設に受信機を設置し、徘徊者の送信機から無線が受信機に届かないほど離れた時に、無線強度が弱くなったことを検知し、受信機が徘徊を知らせるタイプ（Ａ）と、送信機が継続して発信し、その信号をサーチ追跡する方法（Ｂ）、（これらの本人が持つ送信器の携帯方法は、首からかけるペンダント、お守りなどが一般的である。又、送信機を装着出来るようにデザインされた履物に入れるという提案もある。  その他、出入り口にビームセンサーやセンサーマットを設置しておいて、そこを横切ったり、踏んだりした時に音で報知するシステム（Ｃ）がある。これらどのタイプも課題があり、実用には下記のような不便さを有している。【０００３】（Ａ）（Ｂ）共に、常に徘徊者が送信機を身につけているかが不明なので安心できない上に、送信機の電源が常時入っていなければならないシステムであるから、電池駆動寿命が短く、電池の充電や交換管理が大変である。（Ｂ）は、発信無線を追跡するのであるが、気が付くのが遅いと全く方角が分からない場合も起こり得る。（Ｃ）は、設置されているセンサーを、第三者が作動させることのない場所や時間に対してのみ有効である。出入り口が同じ場合、実際の運用は非常に不便であるし、介護者のストレスになる。
【考案が解決しようとする課題】
【０００４】  認知症の症状は、徘徊だけでないので、家人や担当者が、徘徊にのみに注意をしていればよい訳でない。従って、第三者がそのことを忘れていたとしても、その時、確実に、徘徊者のみの外出を、玄関など、まだ屋内にいるうちに検知し、家人や担当者に知らせる方法やシステムがあれば、家人や担当者の心理的負担は、非常に軽くなると思われる。その様な検知システムの提供が課題である。
【課題を解決するための手段】
【０００５】  症状が重度の場合は別であるが、軽度の場合、徘徊者は裸足で外出することはなく、自分の履物を履いて外出するのがごく一般的である。（認知症は新しい事や物、場所は、苦手で慣れていることに安堵感を持つようである。従って、はき慣れた自分の履物を履く習性が強いとの観察がある。）  そこで、本考案の装置は、徘徊者が、常に使用している履物に付けることができ、体重がかかったときにスイッチが入り、無線送信をする仕組みと、その信号を受けて受信機が、音やランプで外出しようとしていることを報知するシステムである。
【０００６】履物に付けるスイッチ付送信機は、履物の踵など裏底に埋め込むために、軽くて小さく、かつスイッチが大人の体重の繰り返し荷重に耐えられる材質と構造になっている必要がある。そのために圧縮導電ゴムをスイッチとして用い、これを当該者の常用している履物の踵の底部内側に取り付ける（図参照）。踵に体重がかかり、この圧縮導電ゴムスイッチが、押されてつぶれ、電気的に導通すると送信機が送信開始する。
【０００７】一方、圧縮導電ゴムのスイッチは、単に履物を移動したり、触ったりしただけでは、発信しない様にする必要がある。そこで履物の踵で、約３０ｋｇの圧力で圧縮導電ゴムスイッチが１ｍｍつぶれて導通する様に取付位置と形状にしたことも特徴になる。このことで、送信機のスイッチは、確実に人間が履いて歩くときのみ送信開始をする。更に送信機に小型マイコンを搭載しておき、スイッチが入って送信後、マイコンのタイマーを用いて、例えば３０秒後には、送信を自動的に止めるなどすると、電池消耗が非常に少なくなりボタン型のリチュウム電池を電源として用いても、充分１年以上持つようになる。また送信機自体も小型、薄型、軽量になり、スイッチと共に履物の踵内部に違和感なく納めることが出来る。
【０００８】  上記スイッチ構造の考案によって、履物に圧力がかかり、スイッチが入り、無線送信すると、受信機が警報音を鳴らし、ランプを点灯させることが出来る徘徊防止システムができる。また受信機に電話通信装置を接続すると、外出していても携帯電話に徘徊者が出かけようとしていることがリアルタイムで分かる。一般家庭向けとしては、この様な簡単なシステムで充分対応できるし、心理的負担を軽減することが出来るのではないだろうか。
【０００９】  一方、認知症を受け入れている病院や施設では、複数の該当者のどの患者が外出しようとしているか識別する必要も生じると思われる。その場合は、履物に付ける送信機に識別番号を割り振り、送信電波にその識別番号を乗せて送信する。受信機は、その識別番号を認識し、該当者名が外出しようとしていると表示盤上で知らせることが出来る。
この施設用のシステムは、一般家庭でも出入り口が複数有り、履物が異なっている場合でも、全く同様に応用できる。
【考案を実施するための最良の形態】
【００１０】  徘徊者の日常履いている履物の踵の裏底に、送信機と圧縮導電ゴムスイッチを設置する。その圧縮導電ゴムスイッチへの圧力は、およそ３０ｋｇでスイッチが入る様にする。（徘徊者の体重の半分くらいの圧力でスイッチが入るのが、適当である。）  圧力調整は、取り付けられるセンサーの周辺部の構造、材料によって調節できる。  小型の送信機には、歩くことで圧力が掛からないような適当な周辺構造とする。スイッチが入ったら、無線送信を開始し受信機が送信電波に乗せられている識別番号を認識し、合致したとき報知音を鳴らし、ランプの点灯で知らせる。【００１１】履物が一つの場合でも、電波に識別番号を付けて送ることのメリットがある。それは、消費電力を抑えるために送信電波として微弱無線電波を選んだので、他の多くの無線機器が同じ、又は非常に近い周波数で使用しているので、混信や誤作動の可能性が高くなっている。そこで、周波数で識別せず、識別番号としてデジタルＩＤを搬送波に付与することで、混信、誤動作を防ぐことが出来るし、複数の履物でも識別が出来る、二役の機能を有している。
【実施例】
【００１２】  サンダルを使った実施例を以下に示す。ここで、サンダルである必要はなく、むしろ本人が日常履いている履物に、下記に示すような無線送信機と圧縮導電ゴムスイッチが埋め込まれる穴であればよい。その位置も例えば、徘徊者の歩き方で前屈み、すり足の歩き方であれば、スイッチの位置を中央部やそれより前方に置き、歩き始めて体重がスイッチにかかるところを選ぶべきである。【００１３】  図１は、履物（サンダル）の縦断面図であり、取付け場所は、一例である。送信機は、歩いたとき圧力が掛からない様に送信機の厚みより深い穴に取付け、圧縮導電ゴムスイッチは、歩くことでおよそ１ｍｍ程度圧縮される深さの穴に取付け、底張りを通して圧力が加わるようにする。スイッチ付送信機の空間に、水が容易に入らない様に底張りは、ゴム系の接着剤でサンダルの底に貼り付けた。ここで使ったゴムスイッチは、市販されており、断面はおよそ長方形で、上下に網線があり、その間に圧縮導電ゴムがサンドイッチされている構造である。スイッチは、二つの網線が近づく方向に圧力がかかる方向に固定するだけで良く、非常に簡単に取付けることが出来る。このように、このスイッチを組み合わせたことで、スイッチ付送信機の全体構造が非常に簡略化され、常に確実な動作が保障されるようになった。
図２は、サンダル底部に送信機等を取り付けた状態を示す底の平面図である。送信機のサイズは、電池ホールダーも含めて厚み約８．５ｍｍ、長さ３４ｍｍ、幅２４ｍｍであり、ゴムスイッチは、厚み約６ｍｍ、幅約８ｍｍの楕円形で、長さ約４０ｍｍの円筒状である。ゴムスイッチの構造上、厚み方向に圧力が掛かるように取り付ける。【００１４】図３は、履物と徘徊報知器のシステム構成図を示す。一般家庭に於いては、無線距離が約２０ｍの微弱無線を用いても、届く範囲内に受信機の徘徊報知器を設置可能であるが、大きな家や施設等であれば、２０ｍは短すぎるので、図４に示す様に、無線中継器を靴の近くに置き、特定小電力無線で約３００ｍ先の徘徊報知器に送信することも可能である。また、複数の靴、送信機に対応した、前述の識別番号で、徘徊報知器も誰が外出しようとしているかをランプ又は液晶表示器を使って知らせる事が出来る。
【考案の効果】
【００１５】  以上説明した如く本考案の請求項１の履物に取り付けるスイッチ付無線送信機によれば、徘徊者のみが、普段の自分の履物を履いて歩きだすと、そのことを報知出来る効果がある。このことは、本人以外の人間が、センサー等を気にすることなく、普段通り玄関を出入り出来るので、このスイッチ付無線送信機は、本人の履物を一種の当該者識別センサーに変えることが出来ると言う優れた効果がある。
請求項２の圧縮導電ゴムをスイッチとしたことで、機械的なスイッチに比べ、履物の中に取り付ける時大変取り付けやすく、更に履いて歩いてもゴムの圧縮と戻りの動きだけであるため、それが付いている事が全く分からないし、歩行に何ら影響しないところが優れた効果である。
【００１６】  請求項３の履物を履き、歩くことで無線送信機のスイッチが入り、受信機が無線送信機の付いた履物が動き出したことを第三者に知らせるシステム。
それに依って玄関にまだいる間に、送信が始まり、介護をしている家族や担当者にとっては知らぬ間にいなくなる不安を持たなくて良くなると言う安心効果があった。
【図面の簡単な説明】
【００１７】
【図１】  サンダルの踵部分に深さ２段の穴を開け、スイッチ付無線送信機を取り付けた断面図である。
【図２】  スイッチ付無線送信機を取り付けたサンダル底面の踵の部分の底張りを剥がし、巻き上げて送信機等が見える状態の平面図である。
【図３】    微弱無線のみで通報できる場合の徘徊報知器のシステム構成図である。
【図４】    病院や施設など、玄関や出入り口と管理者や担当者の部屋が遠い場合と、複数人の当該者がいるときの徘徊報知器システムの構成図である。
【符号の説明】
【００１８】１．  無線送信機基板
２．  電池ホールダー
３．  ボタン電池
４．  圧縮導電ゴムスイッチ
５．  導線
６．  空間
７．  サンダル
８．  サンダル底張り
９．  徘徊報知器
１０．無線中継器
１１．複数該当者識別徘徊報知器
【図１】
0003125563.tif 000003
【図２】
0003125563.tif 000004
【図３】
0003125563.tif 000005
【図４】
0003125563.tif 000006
【手続補正書】
【提出日】平成18年4月14日(2006.4.14)
【手続補正１】
【補正対象書類名】実用新案登録請求の範囲
【補正対象項目名】全文
【補正方法】変更
【補正の内容】
【実用新案登録請求の範囲】
【請求項１】
本考案は、微弱無線送信機、圧縮導電ゴムスイッチ、並びにアラーム機能をもつ微弱無線受信機本体から構成され、圧縮導電ゴムスイッチは微弱無線送信機を起動させるスイッチの機能を有し、この微弱無線送信機と圧縮導電ゴムスイッチは、靴やサンダルなど履物の、例えば踵のなかに埋め込まれ、人がそれを履くと、人間の荷重で履物を通して圧縮導電ゴムスイッチに圧力が掛かり、同時に圧縮導電ゴムスイッチが微弱無線送信機を起動し、信号が送信され、その無線信号を、例えば居室などに設置されたアラーム機能付き無線受信機本体が受信し、履物の持ち主の徘徊者が履物を履いたことを、音やランプ等でアラーム報知することが出来る徘徊防止システム。
【手続補正２】
【補正対象書類名】明細書
【補正対象項目名】考案の効果
【補正方法】変更
【補正の内容】
【考案の効果】
以上説明した如く本考案「請求項１」の履物に取り付けるスイッチ付無線送信機を徘徊者の普段の履物に取り付けると、その履物を徘徊者が履いて歩き出すと即時に無線で、例えば居室などに設置された、離れたところにある無線受信機から介護者に警報音等で報知することが出来る。それに依って徘徊者が玄関にいる間に、介護をしている家族や担当者が知ることが出来、「知らぬ間にいなくなる」不安を持たなくて済むと言う安心効果がある。  また本人以外の人間が、センサー等を気にすることなく、普段通り玄関を出入り出来るので、このスイッチ付無線送信機は、本人の履物を一種の当該者識別センサーに変えることが出来ると言う優れた効果がある。
一方、圧縮導電ゴムをスイッチとしたことで、機械的なスイッチに比べ、履物の中に取り付ける時取り付けやすく、更に履いて歩いてもゴムの圧縮と戻りの動きだけであるため、それが付いている事が全く分からないし、歩行に何ら影響しないところが優れた効果である。
【手続補正書】
【提出日】平成18年6月16日(2006.6.16)
【手続補正１】
【補正対象書類名】明細書
【補正対象項目名】全文
【補正方法】変更
【補正の内容】
【考案の詳細な説明】
【技術分野】
【０００１】  高齢化社会への移行に伴い、認知症などによる徘徊高齢者が急増している。自宅や施設に徘徊症状を呈する患者をかかえていると、知らない間に外出されてしまうと、事故に遭うことや、帰れなくなって遭難することなどを常に心配しなくてはならないし、警察や周囲の応援をもらい捜索する必要も生じることもある。その様なことが起きないように玄関等で、外出しようとしていることを確実に察知できる徘徊防止システムが必要である。
【技術背景】
【０００２】  従来は、徘徊検知センサーとしては、本人に無線送信器を持たせて、自宅や施設に受信機を設置し、徘徊者の送信機から無線が受信機に届かないほど離れた時に、無線強度が弱くなったことを検知し、受信機が徘徊を知らせるタイプ（Ａ）と、送信機が継続して発信し、その信号をサーチ追跡する方法（Ｂ）、（これらの本人が持つ送信器の携帯方法は、首からかけるペンダント、お守りなどが一般的である。又、送信機を装着出来るようにデザインされた履物に入れるという提案もある。  その他、出入り口にビームセンサーやセンサーマットを設置しておいて、そこを横切ったり、踏んだりした時に音で報知するシステム（Ｃ）がある。これらどのタイプも課題があり、実用には下記のような不便さを有している。
【０００３】（Ａ）（Ｂ）共に、常に徘徊者が送信機を身につけているかが不明なので安心できない上に、送信機の電源が常時入っていなければならないシステムであるから、電池駆動寿命が短く、電池の充電や交換管理が大変である。（Ｂ）は、発信無線を追跡するのであるが、気が付くのが遅いと全く方角が分からない場合も起こり得る。（Ｃ）は、設置されているセンサーを、第三者が作動させることのない場所や時間に対してのみ有効である。出入り口が同じ場合、実際の運用は非常に不便であるし、介護者のストレスになる。
【考案が解決しようとする課題】
【０００４】  認知症の症状は、徘徊だけでないので、家人や担当者が、徘徊にのみに注意をしていればよい訳でない。従って、第三者がそのことを忘れていたとしても、その時、確実に、徘徊者のみの外出を、玄関など、まだ屋内にいるうちに検知し、家人や担当者に知らせる方法やシステムがあれば、家人や担当者の心理的負担は、非常に軽くなると思われる。その様な検知システムの提供が課題である。
【課題を解決するための手段】
【０００５】  症状が重度の場合は別であるが、軽度の場合、徘徊者は裸足で外出することはなく、自分の履物を履いて外出するのがごく一般的である。（認知症は新しい事や物、場所は、苦手で慣れていることに安堵感を持つようである。従って、はき慣れた自分の履物を履く習性が強いとの観察がある。）そこで、本考案の装置は、徘徊者が、常に使用している履物に付けることができ、体重がかかったときにスイッチが入り、無線送信をする仕組みと、その信号を受けて受信機が、音やランプで外出しようとしていることを報知するシステムである。
【０００６】履物に付けるスイッチ付送信機は、履物の踵など裏底に埋め込むために、軽くて小さく、かつスイッチが大人の体重の繰り返し荷重に耐えられる材質と構造になっている必要がある。そのために圧縮導電ゴムをスイッチとして用い、これを当該者の常用している履物の踵の底部内側に取り付ける（図参照）。踵に体重がかかり、この圧縮導電ゴムスイッチが、押されてつぶれ、電気的に導通すると送信機が送信開始する。
【０００７】一方、圧縮導電ゴムのスイッチは、単に履物を移動したり、触ったりしただけでは、発信しない様にする必要がある。そこで履物の踵で、約３０ｋｇの圧力で圧縮導電ゴムスイッチが１ｍｍつぶれて導通する様に取付位置と形状にしたことも特徴になる。このことで、送信機のスイッチは、確実に人間が履いて歩くときのみ送信開始をする。更に送信機に小型マイコンを搭載しておき、スイッチが入って送信後、マイコンのタイマーを用いて、例えば３０秒後には、送信を自動的に止めるなどすると、電池消耗が非常に少なくなりボタン型のリチュウム電池を電源として用いても、充分１年以上持つようになる。また送信機自体も小型、薄型、軽量になり、スイッチと共に履物の踵内部に違和感なく納めることが出来る。
【０００８】  上記スイッチ構造の考案によって、履物に圧力がかかり、スイッチが入り、無線送信すると、受信機が警報音を鳴らし、ランプを点灯させることが出来る徘徊防止システムができる。また受信機に電話通信装置を接続すると、外出していても携帯電話に徘徊者が出かけようとしていることがリアルタイムで分かる。一般家庭向けとしては、この様な簡単なシステムで充分対応できるし、心理的負担を軽減することが出来るのではないだろうか。
【０００９】  一方、認知症を受け入れている病院や施設では、複数の該当者のどの患者が外出しようとしているか識別する必要も生じると思われる。その場合は、履物に付ける送信機に識別番号を割り振り、送信電波にその識別番号を乗せて送信する。受信機は、その識別番号を認識し、該当者名が外出しようとしていると表示盤上で知らせることが出来る。
この施設用のシステムは、一般家庭でも出入り口が複数有り、履物が異なっている場合でも、全く同様に応用できる。
【考案の実施するための最良の形態】
【００１０】  徘徊者の日常履いている履物の踵の裏底に、送信機と圧縮導電ゴムスイッチを設置する。その圧縮導電ゴムスイッチへの圧力は、およそ３０ｋｇでスイッチが入る様にする。（徘徊者の体重の半分くらいの圧力でスイッチが入るのが、適当である。）  圧力調整は、取り付けられるセンサーの周辺部の構造、材料によって調節できる。  小型の送信機には、歩くことで圧力が掛からないような適当な周辺構造とする。スイッチが入ったら、無線送信を開始し受信機が送信電波に乗せられている識別番号を認識し、合致したとき報知音を鳴らし、ランプの点灯で知らせる。
【００１１】履物が一つの場合でも、電波に識別番号を付けて送ることのメリットがある。それは、消費電力を抑えるために送信電波として微弱無線電波を選んだので、他の多くの無線機器が同じ、又は非常に近い周波数で使用しているので、混信や誤作動の可能性が高くなっている。そこで、周波数で識別せず、識別番号としてデジタルＩＤを搬送波に付与することで、混信、誤動作を防ぐことが出来るし、複数の履物でも識別が出来る、二役の機能を有している。
【実施例】
【００１２】  サンダルを使った実施例を以下に示す。ここで、サンダルである必要はなく、むしろ本人が日常履いている履物に、下記に示すような無線送信機と圧縮導電ゴムスイッチが埋め込まれる穴であればよい。その位置も例えば、徘徊者の歩き方で前屈み、すり足の歩き方であれば、スイッチの位置を中央部やそれより前方に置き、歩き始めて体重がスイッチにかかるところを選ぶべきである。【００１３】  図１は、履物（サンダル）の縦断面図であり、取付け場所は、一例である。送信機は、歩いたとき圧力が掛からない様に送信機の厚みより深い穴に取付け、圧縮導電ゴムスイッチは、歩くことでおよそ１ｍｍ程度圧縮される深さの穴に取付け、底張りを通して圧力が加わるようにする。スイッチ付送信機の空間に、水が容易に入らない様に底張りは、ゴム系の接着剤でサンダルの底に貼り付けた。ここで使ったゴムスイッチは、市販されており、断面はおよそ長方形で、上下に網線があり、その間に圧縮導電ゴムがサンドイッチされている構造である。スイッチは、二つの網線が近づく方向に圧力がかかる方向に固定するだけで良く、非常に簡単に取付けることが出来る。このように、このスイッチを組み合わせたことで、スイッチ付送信機の全体構造が非常に簡略化され、常に確実な動作が保障されるようになった。
図２は、サンダル底部に送信機等を取り付けた状態を示す底の平面図である。送信機のサイズは、電池ホールダーも含めて厚み約８．５ｍｍ、長さ３４ｍｍ、幅２４ｍｍであり、ゴムスイッチは、厚み約６ｍｍ、幅約８ｍｍの楕円形で、長さ約４０ｍｍの円筒状である。ゴムスイッチの構造上、厚み方向に圧力が掛かるように取り付ける。【００１４】図３は、履物と徘徊報知器のシステム構成図を示す。一般家庭に於いては、無線距離が約２０ｍの微弱無線を用いても、届く範囲内に受信機の徘徊報知器を設置可能であるが、大きな家や施設等であれば、２０ｍは短すぎるので、図４に示す様に、無線中継器を靴の近くに置き、特定小電力無線で約３００ｍ先の徘徊報知器に送信することも可能である。また、複数の靴、送信機に対応した、前述の識別番号で、徘徊報知器も誰が外出しようとしているかをランプ又は液晶表示器を使って知らせる事が出来る。
【考案の効果】
【００１５】  以上説明した如く本考案「請求項１」の履物に取り付けるスイッチ付無線送信機を徘徊者の普段の履物に取り付けると、その履物を徘徊者が履いて歩き出すと即時に無線で、例えば居室などに設置された、離れたところにある無線受信機から介護者に警報音等で報知することが出来る。それに依って徘徊者が玄関にいる間に、介護をしている家族や担当者が知ることが出来、「知らぬ間にいなくなる」不安を持たなくて済むと言う安心効果がある。  また本人以外の人間が、センサー等を気にすることなく、普段通り玄関を出入り出来るので、このスイッチ付無線送信機は、本人の履物を一種の当該者識別センサーに変えることが出来ると言う優れた効果がある。
一方、圧縮導電ゴムをスイッチとしたことで、機械的なスイッチに比べ、履物の中に取り付ける時取り付けやすく、更に履いて歩いてもゴムの圧縮と戻りの動きだけであるため、それが付いている事が全く分からないし、歩行に何ら影響しないところが優れた効果である。
【図面の簡単な説明】
【００１６】
【図１】  サンダルの踵部分に深さ２段の穴を開け、スイッチ付無線送信機を取り付けた断面図である。
【図２】  スイッチ付無線送信機を取り付けたサンダル底面の踵の部分の底張りを剥がし、巻き上げて送信機等が見える状態の平面図である。
【図３】  微弱無線のみで通報できる場合の徘徊報知器のシステム構成図である。
【図４】  病院や施設など、玄関や出入り口と管理者や担当者の部屋が遠い場合と、複数人の当該者がいるときの徘徊報知器システムの構成図である。
【符号の説明】
【００１７】１．  無線送信機基板
２．  電池ホールダー
３．  ボタン電池
４．  圧縮導電ゴムスイッチ
５．  導線
６．  空間
７．  サンダル
８．  サンダル底張り
９．  徘徊報知器
１０．無線中継器
１１．複数該当者識別徘徊報知器